(57)【要約】【課題】  収容部が仕切板によって仕切られるとともに、保管時には扁平にでき、使用時にはワンタッチで組み立てることができ、しかも、仕切板によって仕切られた部分の幅を確保した、ワンタッチカートンを提供する。【解決手段】  底板１１と、前後側壁１２、１３と、左右側壁１４、１５とを備え、底板１１と左右側壁１４、１５とが折り畳まれた扁平な状態から、左右側壁１４、１５を広げ、底板１１を広げて上方に湾曲させることで、底板１１の周囲に前後側壁１２、１３及び左右側壁１４、１５が立設され、内側に収容部３が形成された状態が保持されるワンタッチカートン１において、扁平な状態では前後側壁１２、１３に沿うように、左右方向の第１端部１８ａと第２端部１８ｂとが収容部３内に固定されており、収容部３が形成された状態では収容部３を仕切る、仕切板１８を備えたワンタッチカートン１とする。【選択図】図１
0003137061.tif 000002
【実用新案登録請求の範囲】
【請求項１】
前後方向に湾曲した外形輪郭形状を有する底板と、前記底板の前後部に設けられた前後側壁と、前記前後側壁の側部を連結する左右側壁とを備え、前記底板と前記左右側壁とが折り畳まれた扁平な状態から、前記左右側壁を広げ、前記底板を広げて上方に湾曲させることで、前記底板の周囲に前記前後側壁及び前記左右側壁が立設され、内側に収容部が形成された状態が保持される、ワンタッチカートンにおいて、
前記扁平な状態では前記前後側壁に沿うように、左右方向の第１端部と第２端部とが前記収容部内に固定されており、前記収容部が形成された状態では前記収容部を仕切る、仕切板を備えたことを特徴とするワンタッチカートン。
【請求項２】
前記仕切板は、前記第１端部が前記前後側壁に固定され、前記第２端部が前記収容部内に固定されていることを特徴とする請求項１に記載のワンタッチカートン。
【請求項３】
前記仕切板は、左右方向の幅が、前記前後側壁の左右方向の幅と略同じであることを特徴とする請求項１又は２のいずれか１項に記載のワンタッチカートン。
【請求項４】
前記仕切板は、前記第１端部と前記第２端部のいずれか又は両方が、幅出し部を介して固定されていることを特徴とする請求項１から３のいずれか１項に記載のワンタッチカートン。
【請求項５】
前記仕切板は、下部の形状が、上方に湾曲する前記底板に沿う形状に形成されていることを特徴とする請求項１から４のいずれか１項に記載のワンタッチカートン。
【請求項６】
前記仕切板を複数備えたことを特徴とする請求項１から５のいずれか１項に記載のワンタッチカートン。
【請求項７】
前記前後側壁の上部に蓋部を設けたことを特徴とする請求項１から６のいずれか１項に記載のワンタッチカートン。
【請求項８】
前記蓋部は係止部を有し、前記前後側壁と前記仕切板のいずれか又は両方に前記係止部が係止される被係止部が形成されたことを特徴とする請求項７に記載のワンタッチカートン。
【請求項９】
前記蓋部を形成した前後側壁に、前記係止部を係止させる被係止部を形成したことを特徴とする請求項８に記載のワンタッチカートン。
【考案の詳細な説明】
【技術分野】
【０００１】
本考案は、ワンタッチカートンに関し、より詳細には、収容部が仕切板によって仕切られたワンタッチカートンに関する。
【背景技術】
【０００２】
従来、フライドポテト等の物品を収容するための容器として、紙等の素材で形成され、底板の周囲に側壁が立設された形状のワンタッチカートンが知られている。ワンタッチカートンは、前後方向に突出した外形輪郭形状を有する底板と、底板の前後部に設けられた前後側壁と、前後側壁の側部を連結する左右側壁とを備えており、未使用時には、底板と左右側壁とが折り畳まれた扁平な状態で保管されている。そして、使用する際には、折り畳まれていた左右側壁を広げ、底板を広げて上方に突出させることで、底板の周囲に前後側壁及び左右側壁が立設され、内側に収容部が形成された状態に組み立てられて、フライドポテト等の物品を収容することが可能となる（例えば、特許文献１参照。）。
【特許文献１】特開２０００−３３５５４７号公報
【考案の開示】
【考案が解決しようとする課題】
【０００３】
しかしながら、前記従来のワンタッチカートンは、収容部が仕切られておらず、複数の種類の物品を分けて収容することが困難であり、また、食品等の物品の他に箸、フォーク等の食器や調味料、手拭き等を収容することが必要となっても、このような複数の種類の物品を分けて収容することが困難であった。
【０００４】
ここで、収容部を仕切るために、収容部に別体の仕切りを取り付けることも可能ではある。しかしながら、ワンタッチカートンは未使用状態では折り畳んで扁平な状態で保管され、使用時にはワンタッチで組み立てられる必要がある。従って、別体の仕切りを取り付けると、未使用状態ではワンタッチカートンと仕切りを個別に保管しなければならず、使用時にはワンタッチカートンの組み立てに加えて仕切りを装着する作業が必要となり、ワンタッチカートンの保管及び組み立てに手数を要するという問題がある。
【０００５】
また、仕切りによって仕切られた部分には前述のように、食器や手拭き等の厚みのある物品を収容する場合がある。このため、仕切りによって仕切られた部分にも、ある程度の幅を確保する必要がある。
【０００６】
本考案は前記課題に鑑みてなされたものであって、収容部が仕切板によって仕切られるとともに、保管時には扁平にでき、使用時にはワンタッチで組み立てることができ、しかも、仕切板によって仕切られた部分の幅を確保した、ワンタッチカートンの提供を課題とする。
【課題を解決するための手段】
【０００７】
本考案の解決しようとする課題は以上の如くであり、次にこの課題を解決するための手段を説明する。
【０００８】
即ち、請求項１に記載の考案では、前後方向に湾曲した外形輪郭形状を有する底板と、前記底板の前後部に設けられた前後側壁と、前記前後側壁の側部を連結する左右側壁とを備え、前記底板と前記左右側壁とが折り畳まれた扁平な状態から、前記左右側壁を広げ、前記底板を広げて上方に湾曲させることで、前記底板の周囲に前記前後側壁及び前記左右側壁が立設され、内側に収容部が形成された状態が保持される、ワンタッチカートンにおいて、
前記扁平な状態では前記前後側壁に沿うように、左右方向の第１端部と第２端部とが前記収容部内に固定されており、前記収容部が形成された状態では前記収容部を仕切る、仕切板を備えたことを特徴とするワンタッチカートンとする。
【０００９】
請求項２に記載の考案では、請求項１において、前記仕切板は、前記第１端部が前記前後側壁に固定され、前記第２端部が前記収容部内に固定されていることを特徴とするワンタッチカートンとする。
【００１０】
請求項３に記載の考案では、請求項１または２のいずれか１項に記載の考案において、前記仕切板は、左右方向の幅が、前記前後側壁の左右方向の幅と略同じであることを特徴とするワンタッチカートンとする。
【００１１】
請求項４に記載の考案では、請求項１から３のいずれか１項に記載の考案において、前記仕切板は、前記第１端部と前記第２端部のいずれか又は両方が、幅出し部を介して固定されていることを特徴とするワンタッチカートンとする。
【００１２】
請求項５に記載の考案では、請求項１から４のいずれか１項に記載の考案において、前記仕切板は、下部の形状が、上方に湾曲する前記底板に沿う形状に形成されていることを特徴とするワンタッチカートンとする。
【００１３】
請求項６に記載の考案では、請求項１から５のいずれか１項に記載の考案において、前記仕切板を複数備えたことを特徴とするワンタッチカートンとする。
【００１４】
請求項７に記載の考案では、請求項１から６のいずれか１項に記載の考案において、前記前後側壁の上部に蓋部を設けたことを特徴とするワンタッチカートンとする。
【００１５】
請求項８に記載の考案では、請求項７に記載の考案において、前記蓋部は係止部を有し、前記前後側壁と前記仕切板のいずれか又は両方に前記係止部が係止される被係止部が形成されたことを特徴とするワンタッチカートンとする。
【００１６】
請求項９に記載の考案では、請求項８に記載の考案において、前記蓋部を形成した前後側壁に、前記係止部を係止させる被係止部を形成したことを特徴とするワンタッチカートンとする。
【考案の効果】
【００１７】
本考案の効果として、以下に示すような効果を奏する。
【００１８】
請求項１に記載の考案によれば、扁平な状態では前後側壁に沿うように、左右方向の第１端部と第２端部とが収容部内に固定されており、収容部が形成された状態では収容部を仕切る、仕切板を備えたワンタッチカートンとしたため、未使用状態において、底板と左右側壁とが折り畳まれた状態では、仕切板は前後側壁に沿った状態となっており、ワンタッチカートンを扁平な状態で保管することができる。また、使用時においては、仕切板の第１端部と第２端部とが収容部内に固定されていることから、ワンタッチカートンの組み立てと同時に、仕切板は前後側壁や左右側壁と共に底板に対して立設され、ワンタッチカートン内の収容部を仕切ることができる。更に、ワンタッチカートンを組み立てると、前後側壁は底板の外形輪郭形状に沿って前後方向に湾曲するため、収容部内に固定された第１端部と第２端部との距離が縮まり、仕切板が内側に湾曲する。その結果、湾曲した仕切板と前後側壁や左右側壁との間に空間ができ、物品を収容するための幅を確保することができる。
【００１９】
請求項２に記載の考案によれば、未使用状態において、底板と左右側壁とが折り畳まれた状態では、仕切板は前後側壁に沿った状態となっており、ワンタッチカートンを扁平な状態で保管することができる。また、使用時においては、仕切板の第１端部が前後側壁の端部に固定され、第２端部が収容部内に固定されているため、ワンタッチカートンの組み立てと同時に、仕切板は前後側壁と共に底板に対して立設され、ワンタッチカートン内の収容部を仕切ることができる。更に、ワンタッチカートンを組み立てると、前後側壁は底板の外形輪郭形状に沿って前後方向に湾曲するため、第１端部と第２端部との距離が縮まり、仕切板が内側に湾曲する。その結果、湾曲した仕切板と前後側壁との間に空間ができ、物品を収容するための幅を確保することができる。
【００２０】
請求項３に記載の考案によれば、仕切板は、左右方向の幅が、前後側壁の左右方向の幅と略同じであるため、ワンタッチカートンを組み立てると、仕切板は前後側壁の左右方向の両端部付近で支持されることとなり、湾曲した仕切板と前後側壁との間に空間が形成され、物品を収容するための左右方向の幅を広くすることができ、幅のある物品であっても収容することができる。
【００２１】
請求項４に記載の考案によれば、第１端部と第２端部のいずれか又は両方が、幅出し部を介して固定されているため、収容部を広くすることができ、厚みのある物品であっても収容することができる。
【００２２】
請求項５に記載の考案によれば、仕切板は、下部の形状が、上方に湾曲する底板に沿う形状に形成されているため、ワンタッチカートンの組み立てと同時に、仕切板は下部が底板に対して沿うように立設され、ワンタッチカートン内の収容部を下部から仕切ることができる。このため、収容部を下部から確実に仕切ることができる。
【００２３】
請求項６に記載の考案によれば、仕切板を複数備えたことにより、ワンタッチカートンの組み立てと同時に、各仕切板は前後側壁や左右側壁と共に底板に対して立設され、ワンタッチカートン内の収容部を仕切ることができる。更に、仕切板と前後側壁や、仕切板相互の間に空間ができ、収容部を３以上に仕切ることができ、物品を区分けして収容することができる。
【００２４】
請求項７に記載の考案によれば、前後側壁の上部に蓋部を設けたため、収容部を蓋部で覆うことができ、物品を確実に収容することができる。
【００２５】
請求項８に記載の考案によれば、蓋部は係止部を有し、前後側壁と仕切板のいずれか又は両方に係止部が係止される被係止部が形成されているため、蓋部の係止部と前後側壁等に形成される被係止部とを係止することにより、蓋部の端部が固定され、収容部を蓋部で覆うことができるとともに、蓋部で覆った状態を保持することができる。
【００２６】
請求項９に記載の考案によれば、蓋部を形成した前後側壁に、係止部を係止させる被係止部を形成したため、蓋部の係止部を被係止部に係止することにより、収容部を開放した状態を保持することができ、収容部に収容された物品を見やすいようにして、展示等を行うことができる。
【考案を実施するための最良の形態】
【００２７】
次に、考案の実施の形態について図を用いて説明する。
【実施例１】
【００２８】
本考案の実施例１に係るワンタッチカートン１について、図１から図５を用いて説明する。
【００２９】
実施例１に係るワンタッチカートン１は、図１に示す展開形成体２を組み立てて形成されるものであり、フライドポテト等の物品を収容するために使用されるものである。ワンタッチカートン１は、板紙、段ボールなどの板状部材で形成されている。図１に示す展開形成体２を組み立てて完成した状態のワンタッチカートン１を図４、図５に示している。説明のために、幅の広い面をワンタッチカートン１の前後面とし、幅の狭い面をワンタッチカートン１の側面とする。従って、図１において、底板１１の短手方向が前後方向となり、底板１１の長手方向が左右方向となる。また、底板１１を下にして載置した場合の底板１１側を下方とする。
【００３０】
まず、図１に示す展開形成体２に従って説明すると、底板１１はワンタッチカートン１の収容部３の底部を構成する部分である。底板１１の外形輪郭形状は、略前後対称、略左右対称であり、前部分は前方向（図示下方）に突出するように湾曲しており、後部分は後方向（図示上方）に突出するように湾曲している。また、左部分は左方向（図示左方）に僅かに突出しており、右部分は右方向（図示右方）に僅かに突出している。左右方向には中心線に沿って、底板折畳線３１が形成されている。底板１１は底板折畳線３１を谷折することによって前後方向に折り畳むことが可能である。
【００３１】
底板１１の前部（図示下部）には、前後側壁としての前側壁１２が、前底板折目線３２を介して連設されており、底板の後部（図示上部）には、前後側壁としての後側壁１３が、後底板折目線３３を介して連設されている。前側壁１２は、ワンタッチカートン１の収容部３の前部を構成する部分であり、後側壁１３は、ワンタッチカートン１の収容部３の後部を構成する部分である。前側壁１２の形状は、下部（図示上部）は底板に連設されているため、上方（図示下方）に突出するように湾曲しており、上部（図示下方）は収容した物品を取り出しやすいように中央部が低くなった形状である。また、ワンタッチカートン１を組み立てた状態で収容部３の上方が開くように、前側壁１２の上部が下部よりやや広く形成されている。
【００３２】
後側壁１３の形状は、下部（図示下部）は底板１１に連設されているため、上方（図示上方）に突出するように湾曲しており、上部（図示上部）は収容した物品を確実に保持できるように前側壁１２より高く形成されている。また、ワンタッチカートン１を組み立てた状態で収容部３の上方が開くように、後側壁１３の上部が下部よりやや広く形成されている。
【００３３】
前側壁１２の左端部には、左右側壁としての左側壁１４が、左側壁折目線３４を介して連設されており、前側壁１２の右端部には、左右側壁としての右側壁１５が、右側壁折目線３５を介して連設されている。左側壁１４と右側壁１５は、それぞれ前側壁１２と後側壁１３とを連結する部分であるとともに、ワンタッチカートン１の収容部３の左部と右部とを構成する部分である。左側壁１４は、前後の幅（図示左右方向の幅）が底板１１の左側の幅と略同一であり、上下方向（図示上下方向）に形成された左側壁折畳線３６を谷折することによって左側壁１４を前後方向に折り畳むことができる。左側壁１４には左固定板折目線３８を介して左固定板１６が連設されている。左固定板１６は後側壁１３の後側に固定されることにより、前側壁１２と後側壁１３とを左側壁１４で連結することができる。
【００３４】
右側壁１５は、前後の幅（図示左右方向の幅）が底板１１の右側の幅と略同一であり、上下方向（図示上下方向）に形成された右側壁折畳線３７を谷折することによって右側壁１５を前後方向に折り畳むことができる。右側壁１５には右固定板折目線３９を介して右固定板１７が連設されている。右固定板１７は後側壁１３の後側に固定されることにより、前側壁１２と後側壁１３とを右側壁１５で連結することができる。
【００３５】
後側壁１３の側部には、仕切板折目線４１を介して仕切板１８の第１端部１８ａが連設されている。仕切板１８は、ワンタッチカートン１の収容部３内を２つの区画に仕切る部材である。仕切板１８の形状は、下部は上方（図示上方）に湾曲しており、上部は前側壁１２よりやや高さが高くなるように形成されている。下部の湾曲した形状は、後記説明するが、ワンタッチカートン１を組み立てて底板１１が上方に湾曲した状態で、略一定の間隔で底板１１の上面に沿うように形成している。仕切板１８の左右方向の幅は、後側壁１３と略同じ幅であり、後側壁１３と同様に、仕切板１８の上部（図示上方）が下部（図示下方）よりやや広く形成されている。
【００３６】
仕切板１８の第２端部１８ｂには、仕切固定板折目線４２を介して仕切固定板１９が連設されている。仕切固定板１９は、仕切板１８に対して折り返して後側壁１３に固定することにより、仕切板１８の第２端部１８ｂを後側壁１３に固定するものである。尚、本実施例では、仕切板１８の左右方向の幅を後側壁１３と略同じ幅としたため、仕切板１８の第２の端部は後側壁１３の端部付近に固定されることとなるが、仕切板１８の幅はこれに限定されず、後側壁１３の幅より狭くしてもよい。また、第１端部１８ａは図示左側、第２端部１８ｂは図示右側としたが、逆にしてもよい。
【００３７】
次に、上記説明した展開形成体２を組み立てて、扁平な状態のワンタッチカートン１を構成する手順について説明する。図２に示すように、まず、仕切固定板折目線４２を谷折して仕切固定板１９を仕切板１８に対して折り返し、図示手前側に重ねる。続いて、仕切板折目線４１を谷折して、仕切板１８と仕切固定板１９とを後側壁１３に対して折り返し、図示手前側に重ね、仕切固定板１９を後側壁１３に対して貼着手段等で固定する。更に、底板折畳線３１を谷折して、前側壁１２を後側壁１３に対して折り返し、図示手前側に重ねた状態とする。
【００３８】
次に、図２の状態から、図３に示すように、左側壁折畳線３６と右側壁折畳線３７を折曲して、左固定板１６と右固定板１７とを前側壁１２に対して折り返し、左固定板１６と右固定板１７とをそれぞれ後側壁１３の外側（図示奥側）に対して貼着手段等で固定することにより、扁平な状態のワンタッチカートン１を構成する。この状態では、仕切板１８は後側壁１３に沿った状態となっており、ワンタッチカートン１を扁平な状態で保管することができる。
【００３９】
ワンタッチカートン１は上記扁平な状態で保管等されるのであるが、次に、ワンタッチカートン１を使用する際に、物品を収容できるように組み立てる手順について説明する。まず、図３に示すようにワンタッチカートン１が扁平な状態において、折り畳まれた状態の左側壁１４と右側壁１５とを左右から中心方向に向けて押圧し、左側壁１４と右側壁１５とを、折り畳まれた状態からやや広がった状態に戻すようにする（図４参照）。
【００４０】
左側壁１４と右側壁１５とを広がった状態に戻すと、前側壁１２と後側壁１３との間隔が広がる。ここで、図４に示すように、底板１１を下方から上方に向けて押圧して、折り畳まれた状態の底板１１を広げていく。底板１１が上方に湾曲する状態まで上方に向けて押圧することにより、底板１１は完全に広がった状態となり、図５に示すように、左側壁１４と右側壁１５も広がった状態となる。この状態では、底板１１の周囲に前側壁１２、後側壁１３、左側壁１４、右側壁１５が立設された状態となり、底板１１は板状部材の弾発力によって上方に湾曲した状態が保持され、ワンタッチカートン１は内側に収容部３が形成された状態が保持される。
【００４１】
また、図５に示すように、仕切板１８の第１端部１８ａは後側壁１３に連設されており、仕切板１８の第２端部１８ｂは、仕切固定板１９によって後側壁１３に固定されているため、底板１１に対して後側壁１３が立設されると同時に、仕切板１８は後側壁１３と共に底板１１に対して立設され、ワンタッチカートン１内の収容部３を仕切ることとなる。
【００４２】
更に、ワンタッチカートン１を組み立てると、後側壁１３は底板１１の外形輪郭形状に沿って後方向に突出するように湾曲するため、後側壁１３に固定された第１端部１８ａと第２端部１８ｂとの距離が縮まり、仕切板１８が内側に突出するように湾曲する。その結果、湾曲した仕切板１８と後側壁１３との間に空間ができ、物品を収容するための幅を確保することとなる。
【００４３】
仕切板１８は、左右方向の幅を、後側壁１３の左右方向の幅と略同じとしたため、ワンタッチカートン１を組み立てると、仕切板１８は後側壁１３の左右方向の両端部付近で支持されることとなり、湾曲した仕切板１８と前後側壁との間に空間が形成され、物品を収容するための左右方向の幅を広くすることができ、幅のある物品であっても収容することができる。
【００４４】
ワンタッチカートン１を組み立てて底板１１が上方に湾曲した状態では、仕切板１８の下部が略一定の間隔で底板１１の上面に沿うように形成しているため、ワンタッチカートン１内の収容部３を下部から確実に仕切ることができる。
【実施例２】
【００４５】
次に、本考案の実施例２に係るワンタッチカートン１について図６、図７、図８を用いて説明する。実施例２では、仕切板１８の第１端部１８ａが幅出し部２０を介して後側壁１３に連設されている点が実施例１と大きく異なっている。実施例１と同一部分の詳しい説明は省略する。
【００４６】
図６に示すように、後側壁１３の側部には、幅出し部折目線４３を介して幅出し部２０が連設されており、幅出し部２０の側部には、仕切板折目線４１を介して仕切板１８の第１端部１８ａが連設されている。幅出し部２０は、仕切板１８の第１端部１８ａを後側壁１３の端部から離隔した位置で支持するための部材である。扁平な状態のワンタッチカートン１を構成する手順は、図６の状態から、仕切固定板折目線４２を谷折して仕切固定板１９を仕切板１８に対して折り返し、図示手前側に重ねる。続いて、仕切板折目線４１を谷折して、仕切板１８と仕切固定板１９とを幅出し部２０及び後側壁１３に対して折り返し、図示手前側に重ね、仕切固定板１９を後側壁１３に対して貼着手段等で固定する。この後、前側壁１２を後側壁１３に対して折り返す点については実施例１と同じである。
【００４７】
次に、図７に示すように、左側壁折畳線３６と右側壁折畳線３７を折曲して、左固定板１６と右固定板１７とを前側壁１２に対して折り返し、左固定板１６と右固定板１７とをそれぞれ後側壁１３の外側（図示奥側）に対して貼着手段等で固定する点についても実施例１と同じであるが、このとき、折り畳まれた右側壁１５によって幅出し部２０が抱持された状態となる。
【００４８】
ワンタッチカートン１は上記扁平な状態で保管等されるのであるが、次に、ワンタッチカートン１を使用する際に、物品を収容できるように組み立てる手順について説明する。組み立ては、実施例１と同様、ワンタッチカートン１が扁平な状態において、折り畳まれた状態の左側壁１４と右側壁１５とを左右から中心方向に向けて押圧し、底板１１を下方から上方に向けて押圧して、折り畳まれた状態の底板１１を広げるようにする。図８に示すように、組み立てられた状態では、底板１１の周囲に前側壁１２、後側壁１３、左側壁１４、右側壁１５及び幅出し部２０が立設された状態となり、底板１１は板状部材の弾発力によって上方に湾曲した状態が保持され、ワンタッチカートン１は内側に収容部３が形成された状態が保持される。このとき、仕切板１８の第１端部１８ａが幅出し部２０を介して固定されているため、収容部３を広くすることができ、厚みのある物品であっても収容することができる。
【実施例３】
【００４９】
次に、本考案の実施例３に係るワンタッチカートン１について図９、図１０を用いて説明する。実施例３では、仕切板１８が複数設けられており、それらが重なっている点が実施例１と大きく異なっている。実施例１と同一部分の詳しい説明は省略する。
【００５０】
図９に示すように、後側壁１３の左側部と右側部には、それぞれ仕切板折目線４１を介して仕切板１８の第１端部１８ａが連設されている。左右に設けられた仕切板１８の左右方向の幅は、後側壁１３の左右方向の幅と略同じ幅であり、高さは相違させている。扁平な状態のワンタッチカートン１を構成する手順は、図９の状態から、仕切固定板折目線４２をそれぞれ谷折して仕切固定板１９を仕切板１８に対して折り返し、図示手前側に重ねる。続いて、一方の仕切板折目線４１を谷折して、仕切板１８と仕切固定板１９とを後側壁１３に対して折り返し、図示手前側に重ね、仕切固定板１９を後側壁１３に対して貼着手段等で固定する。次に、他方の仕切板折目線４１を谷折して、仕切板１８と仕切固定板１９とを後側壁１３に対して折り返し、先に折り返した仕切板１８の図示手前側に重ね、仕切固定板１９を先に折り返した仕切板１８に対して貼着手段等で固定する。本実施例では、右側の仕切板１８を先に折り返し、左側の仕切板１８を後から折り返している（図１０参照。）。この後、前側壁１２を後側壁１３に対して折り返す点、左側壁折畳線３６と右側壁折畳線３７を折曲して、左固定板１６と右固定板１７とを前側壁１２に対して折り返し、左固定板１６と右固定板１７とをそれぞれ後側壁１３の外側（図示奥側）に対して貼着手段等で固定する点については実施例１と同じである。
【００５１】
ワンタッチカートン１は上記扁平な状態で保管等されるのであるが、次に、ワンタッチカートン１を使用する際に、物品を収容できるように組み立てる手順について説明する。組み立ては、実施例１と同様、ワンタッチカートン１が扁平な状態において、折り畳まれた状態の左側壁１４と右側壁１５とを左右から中心方向に向けて押圧し、底板１１を下方から上方に向けて押圧して、折り畳まれた状態の底板１１を広げるようにする。図１０に示すように、組み立てられた状態では、底板１１の周囲に前側壁１２、後側壁１３、左側壁１４、右側壁１５が立設された状態となり、底板１１は板状部材の弾発力によって上方に湾曲した状態が保持され、ワンタッチカートン１は内側に収容部３が形成された状態が保持される。
【００５２】
そして、仕切板１８を２枚設けたことにより、ワンタッチカートン１の組み立てと同時に、各仕切板１８は後側壁１３と共に底板１１に対して立設され、ワンタッチカートン１内の収容部３を仕切ることができる。更に、仕切板１８と後側壁１３や、仕切板１８相互の間に空間ができ、収容部３を３分割に仕切ることができ、物品を区分けして収容することができる。
【実施例４】
【００５３】
次に、本考案の実施例４に係るワンタッチカートン１について図１１、図１２を用いて説明する。実施例４では、仕切板１８が複数設けられている点は実施例３と同様であるが、仕切板１８が重なって設けられるのではなく、並設される点が実施例３と大きく異なっている。実施例１と同一部分の詳しい説明は省略する。
【００５４】
図１１に示すように、後側壁１３の左側部と右側部には、それぞれ仕切板折目線４１を介して仕切板１８の第１端部１８ａが連設されている。左右に設けられた仕切板１８の左右方向の幅は、後側壁１３の幅の略半分以下とする。扁平な状態のワンタッチカートン１を構成する場合には、図１１の状態から、仕切固定板折目線４２をそれぞれ谷折して仕切固定板１９を仕切板１８に対して折り返し、図示手前側に重ねる。続いて、それぞれの仕切板折目線４１を谷折して、仕切板１８と仕切固定板１９とを後側壁１３に対して折り返し、図示手前側に重ね、仕切固定板１９を後側壁１３に対して貼着手段等で固定する。仕切板１８の左右方向の幅は、後側壁１３の幅の半分以下としたため、仕切板１８は重ならないようになっている。この後、前側壁１２を後側壁１３に対して折り返す点、左側壁折畳線３６と右側壁折畳線３７を折曲して、左固定板１６と右固定板１７とを前側壁１２に対して折り返し、左固定板１６と右固定板１７とをそれぞれ後側壁１３の外側（図示奥側）に対して貼着手段等で固定する点については実施例１と同じである。
【００５５】
ワンタッチカートン１は上記扁平な状態で保管等されるのであるが、次に、ワンタッチカートン１を使用する際に、物品を収容できるように組み立てる手順について説明する。組み立ては、実施例１と同様、ワンタッチカートン１が扁平な状態において、折り畳まれた状態の左側壁１４と右側壁１５とを左右から中心方向に向けて押圧し、底板１１を下方から上方に向けて押圧して、折り畳まれた状態の底板１１を広げるようにする。図１２に示すように、組み立てられた状態では、底板１１の周囲に前側壁１２、後側壁１３、左側壁１４、右側壁１５が立設された状態となり、底板１１は板状部材の弾発力によって上方に湾曲した状態が保持され、ワンタッチカートン１は内側に収容部３が形成された状態が保持される。
【００５６】
そして、仕切板１８を２枚設けたことにより、ワンタッチカートン１の組み立てと同時に、各仕切板１８は後側壁１３と共に底板１１に対して立設され、ワンタッチカートン１内の収容部３を仕切ることができる。更に、仕切板１８と後側壁１３との間に空間ができ、収容部３を３分割に仕切ることができ、物品を区分けして収容することができる。
【実施例５】
【００５７】
次に、本考案の実施例５に係るワンタッチカートン１について図１３、図１４、図１５を用いて説明する。実施例５では、後側壁１３の上部に蓋部２１を設けた点が実施例１と大きく異なっている。実施例１と同一部分の詳しい説明は省略する。
【００５８】
図１３に示すように、展開形成体２は、後側壁１３の上部に蓋部折目線４４を介して蓋部２１が連設されている。蓋部２１はワンタッチカートン１の収容部３を覆うための部材である。蓋部２１の先端付近には円弧状の切れ込みにより係止部２２が形成されている。また、前側壁１２の上部、仕切板１８の上部、及び後側壁１３の上部には直線状の切れ込みにより、被係止部２３が形成されている。被係止部２３は、蓋部２１に形成された係止部２２が係止されることにより蓋部２１を保持する部分である。展開形成体２のその他の部分については実施例１の展開形成体２と同様であるため詳しい説明は省略し、また、扁平な状態のワンタッチカートン１を構成する手順、ワンタッチカートン１を使用する際に、物品を収容できるように組み立てる手順についても実施例１と同様であるため、説明は省略する。
【００５９】
ワンタッチカートン１を組み立てた後、蓋部２１を使用する場合について説明する。図１４に示すように、蓋部２１を前方に湾曲させ、係止部２２を前側壁１２に形成した被係止部２３に係止させることにより、蓋部２１はワンタッチカートン１の収容部３を覆うことができ、蓋部２１で覆った状態を保持することができる。また、係止部２２を仕切板１８に形成した被係止部２３に係止することにより、仕切板１８で仕切られた部分を蓋部２１で覆うことができ、その状態を保持することができる。また、図１５に示すように、蓋部２１を後方に湾曲させ、係止部２２を後側壁１３に形成した被係止部２３に係止させることにより、収容部３を開放した状態を保持することができ、収容部３に収容された物品を見やすい状態にして、展示等を行うことができる。
【００６０】
以上説明した本考案の技術的範囲は、上記の実施例に限定されるものではなく、上記実施例の形状に限定されない。本考案の技術的範囲は、本明細書及び図面に記載した事項から明らかになる本考案が真に意図する技術的思想の範囲全体に、広く及ぶものである。
【図面の簡単な説明】
【００６１】
【図１】実施例１に係るワンタッチカートン１の展開形成体２の平面図。
【図２】実施例１に係るワンタッチカートン１を組み立てる手順を示す平面図。
【図３】実施例１に係るワンタッチカートン１を組み立てる手順を示す平面図。
【図４】実施例１に係るワンタッチカートン１の組み立て状態を示す正面図。
【図５】実施例１に係るワンタッチカートン１の組み立て状態を示す平面図。
【図６】実施例２に係るワンタッチカートン１の展開形成体２の平面図。
【図７】実施例２に係るワンタッチカートン１の組み立て状態を示す正面図。
【図８】実施例２に係るワンタッチカートン１の組み立て状態を示す平面図。
【図９】実施例３に係るワンタッチカートン１の展開形成体２の平面図。
【図１０】実施例３に係るワンタッチカートン１の組み立て状態を示す平面図。
【図１１】実施例４に係るワンタッチカートン１の展開形成体２の平面図。
【図１２】実施例４に係るワンタッチカートン１の組み立て状態を示す平面図。
【図１３】実施例５に係るワンタッチカートン１の展開形成体２の平面図。
【図１４】実施例５に係るワンタッチカートン１の蓋部２１を前側壁１２の被係止体に係止した状態の正面図。
【図１５】実施例５に係るワンタッチカートン１の蓋部２１を後側壁１３の被係止体に係止した状態の正面図。
【符号の説明】
【００６２】
１      ワンタッチカートン
２      展開形成体
３      収容部
１１    底板
１２    前側壁
１３    後側壁
１４    左側壁
１５    右側壁
１６    左固定板
１７    右固定板
１８    仕切板
１８ａ  第１端部
１８ｂ  第２端部
１９    仕切固定板
２０    幅出し部
２１    蓋部
２２    係止部
２３    被係止部
３１    底板折畳線
３２    前底板折目線
３３    後底板折目線
３４    左側壁折目線
３５    右側壁折目線
３６    左側壁折畳線
３７    右側壁折畳線
３８    左固定板折目線
３９    右固定板折目線
４１    仕切板折目線
４２    仕切固定板折目線
４３    幅出し部折目線
４４    蓋部折目線
【図１】
0003137061.tif 000003
【図２】
0003137061.tif 000004
【図３】
0003137061.tif 000005
【図４】
0003137061.tif 000006
【図５】
0003137061.tif 000007
【図６】
0003137061.tif 000008
【図７】
0003137061.tif 000009
【図８】
0003137061.tif 000010
【図９】
0003137061.tif 000011
【図１０】
0003137061.tif 000012
【図１１】
0003137061.tif 000013
【図１２】
0003137061.tif 000014
【図１３】
0003137061.tif 000015
【図１４】
0003137061.tif 000016
【図１５】
0003137061.tif 000017